(57)【要約】      （修正有）【課題】用済み後のラベル剥がしが容易となり、商品輸送用箱体の側に不要な接着剤が残らず、しかも十分接着力が発揮できてラベルが脱落しにくくなった商品輸送用箱体を提供する。【解決手段】周囲全面を囲む側板と底面を閉じる底板とを備えた商品輸送用箱体において、側板１３，１４の表面の適所に両面接着テープ２１の片面を貼付し、両面接着テープ２１の他面に所定事項を記載したラベル２２を貼付した。両面接着テープ２１の平面形状は、ラベル２２の平面形状よりも小さくした。【選択図】図２
0003176190.tif 000002
【実用新案登録請求の範囲】
【請求項１】
周囲全面を囲む側板と底面を閉じる底板とを備えた商品輸送用箱体において、前記側板の表面の適所に両面接着テープの片面を貼付し、該両面接着テープの他面に所定事項を記載したラベルを貼付したことを特徴とする商品輸送用箱体。
【請求項２】
請求項１に記載の商品輸送用箱体において、
前記両面接着テープの平面形状を、前記ラベルの平面形状よりも小さくしたことを特徴とする商品輸送用箱体。
【考案の詳細な説明】
【技術分野】
【０００１】
本考案は、通箱として使用されるバケット又は折り畳みコンテナ等の商品輸送用箱体に関するものである。
【背景技術】
【０００２】
例えば、シャンプー、リンス、液体洗剤等の家庭用商品は、工場で生産されてから段ボール箱で梱包され、物流センタに納品される。
【０００３】
物流センタでは、ドラッグストア、コンビニエンスストア等の店舗から届く注文に基づいて、それらの梱包を開いて指定商品を取り出し、５０リットル又は３５リットル程度の容量のプラスチック製のバケット又は折り畳みコンテナに、指定本数又は指定個数を収納する。バケット又は折り畳みコンテナには、その側面に、商品内容や納入先等の必要事項を印字した紙、ポリプロピレン合成紙、又はポリエチレンを積層した紙等からなるラベルが貼付されている。バケット又は折り畳みコンテナは、注文先への商品の納入が完了すると戻され、側面に貼付されていたラベルを剥がして再利用される。
【考案の概要】
【考案が解決しようとする課題】
【０００４】
ところが、バケット又は折り畳みコンテナからラベルを剥がしたときに、ラベル裏面の接着剤の一部がそのバケット又は折り畳みコンテナの表面に残り、繰り返し使用するとその残留接着剤が積み重なり、さらにそこに塵埃等が付着することによって、新しいラベルの接着力が著しく低減し、場合によっては、ラベラーによって繰り出されたラベルがバケット又は折り畳みコンテナに接着されずに落下し、又は輸送途中で隣のバケット又は折り畳みコンテナと接触して剥がれ落ちることが頻発している。
【０００５】
そこで、バケット又は折り畳みコンテナの残留接着剤を洗剤を使用して洗浄することが行なわれているが、その残留接着剤は容易には除去できず、追加洗浄が必要になるほどに時間とコストがかかっているのが現状である。
【０００６】
一方、ラベルの残留接着剤を低減するために、弱接着剤又は微弱接着剤が裏面に塗布された弱接着ラベル又は微弱接着ラベルを使用することも行われるが、このようなラベルは、ラベラーより繰り出されても、バケット又は折り畳みコンテナに十分に接着されずに落下し易く、又は輸送途中にて隣接するバケット又は折り畳みコンテナと接触して、剥がれ落ちることが頻発する。
【０００７】
以上のようなことから、ラベルには強接着剤又は標準接着剤が裏面に塗布された強接着ラベル又は標準接着ラベルの使用を余儀なくされているが、この場合は用済み後のラベルを剥がすときの作業時間が長くなってコスト高となり、また前記した残留接着剤の問題が残る。
【０００８】
本考案の目的は、弱接着又は微弱接着のラベルを使用できるようにして用済み後のラベル剥がしが容易となり、商品輸送用箱体の側に不要な接着剤が残らず、しかも十分接着力が発揮できてラベルが脱落しにくくなったバケットや折り畳みコンテナ等の商品輸送用箱体を提供することである。
【課題を解決するための手段】
【０００９】
上記目的を達成するために、請求項１にかかる考案の商品輸送用箱体は、周囲全面を囲む側板と底面を閉じる底板とを備えた商品輸送用箱体において、前記側板の表面の適所に両面接着テープの片面を貼付し、該両面接着テープの他面に所定事項を記載したラベルを貼付したことを特徴とする。
請求項２にかかる発明は、請求項１に記載の商品輸送用箱体において、前記両面接着テープの平面形状を、前記ラベルの平面形状よりも小さくしたことを特徴とする。
【考案の効果】
【００１０】
本考案によれば、弱接着又は微弱接着のラベルを使用できるので、ラベル剥がしが容易となり、また商品輸送用箱体の側に不要な接着剤が残らないようにでき、しかもそのラベルは両面接着テープに貼付するので、両者間の接着力は十分発揮でき、脱落しにくくなるという利点がある。また、前記両面接着テープの平面形状を、前記ラベルの平面形状よりも小さくすることで、ラベルの剥がし作業が更に容易となる。
【図面の簡単な説明】
【００１１】
【図１】本考案の１つの実施例のバケットの上面斜視図である。
【図２】図１のＡ部分の拡大図である。
【考案を実施するための形態】
【００１２】
図１に本考案の１つの実施例のバケット１０を示す。このバケット１０は、周囲全面を囲む４枚の側板１１〜１４と底面を閉じる底板１５とから構成され、ポリプロピレン又は高密度ポリプロピレンの射出成形で一体的に又は組み合わせにより形成されている。そして、側板１３，１４の上角部分の表面には、両面接着テープ２１の片面が貼付されている。この両面接着テープ２１の部分には、図１のＡ部の拡大図である図２に示すように、その両面接着テープ２１の他面にラベル２２が貼付される。両面接着テープ２１は、その全体形状がラベル２２よりも小さくなっており、ラベル２２を両面接着テープ２１に貼付したとき、ラベル２２は少なくともその一部に両面接着テープ２１に貼付されない部分が残る。
【００１３】
ラベル２２としては、容易に剥離できる微弱接着性の材質のもの、例えば低価格で手に入る紙の裏面に微弱接着剤を塗布した紙製のものでも使用でき、強靱なポリプロピレン合成紙やポリエチレンを積層した紙等に強接着剤あるいは標準接着剤を塗布したものを使用する必要がなく、大きなコスト低減を達成できる。
【００１４】
ラベラーから繰り出されるラベル２２は、バケット１０の側面の両面接着テープ２１の部分に貼付されるが、このときラベル２２が接着する相手は両面接着テープ２１であるので、両者間の接着力は、従来使用されていた強接着又は標準接着のラベルを使用した場合と同等になり、輸送途中で隣のバケットと接触しても脱落することが防止できる。
【００１５】
ラベル２２は両面接着テープ２１よりも大きな形状であるので、そのラベル２２のいずれかの端の部分に両面接着テープ２１に接着されない部分が残り、その部分は箱体１０に接着される場合もあるがその接着力は弱い。したがって、使用済みとなったら、その部分に手をかけてそのラベル２２全体を容易に剥離除去することができる。
【００１６】
また、両面接着テープ２１の周囲にラベル２２の接着剤が残るとしても、それはわずかであり、洗剤によって洗浄すれば簡単に除去できる。また、繰り返し使用した後では、両面接着テープ２１は新しいものに貼り替え、あるいは元の両面接着テープ２１の上に新たな両面接着テープ２１を重ねて貼付すればよい。
【００１７】
なお、上記実施例ではラベル２２として、裏面に微弱接着剤を塗布した紙製のものを用いたが、裏面に接着剤を全く塗布しないポリプロピレン合成紙、ポリエチレンを積層した紙、又は紙等を使用することができるこはもちろんである。
【符号の説明】
【００１８】
１０：バケット、１１〜１４：側板、１５：底板
２１：両面接着テープ
２２：ラベル
【図１】
0003176190.tif 000003
【図２】
0003176190.tif 000004